(57)【要約】【課題】  バッグインボックス用の箱を簡易に折り畳むことが出来るようにする。【解決手段】  多角柱に形成される胴体（１）と、胴体の上部を閉じる上蓋（２）と、胴体の下部を閉じる底蓋（３）とを有するバッグインボックス用の箱において、胴体と上蓋又は底蓋とが別個のブランク板により形成され、胴体は複数枚のブランク板を周方向で接合することにより形成されると共に、接合部にはブランク板の板紙同士を重ね合わせて接着してなる重畳壁が形成され、胴体の外壁に剥離可能に接着される接着片（８）が上蓋と底蓋にそれぞれ設けられ、接着片から始まって上蓋と底蓋を横断するように伸びる折り罫（２６，２７）が上蓋と底蓋に夫々形成される。使用後廃棄に際して各接着片を胴体から剥がし胴体をその横方向に押圧すると、上蓋と底蓋が折り罫上で折れ曲がり、箱を簡易かつ迅速に折り畳むことができる。【選択図】  図７
2007022595.tif 000002
【特許請求の範囲】
【請求項１】
多角柱に形成される胴体と、胴体の上部を閉じる上蓋と、胴体の下部を閉じる底蓋とを有するバッグインボックス用の箱において、胴体と上蓋又は底蓋とが別個のブランク板により形成され、胴体は複数枚のブランク板を周方向で接合することにより形成されると共に、接合部にはブランク板の板紙同士を重ね合わせて接着してなる重畳壁が形成され、胴体の外壁に剥離可能に接着される接着片が上蓋と底蓋にそれぞれ設けられ、接着片から始まって上蓋と底蓋を横断するように伸びる折り罫が上蓋と底蓋に夫々形成されたことを特徴とするバッグインボックス用の箱。
【請求項２】
多角柱に形成される胴体と、胴体の上部を閉じる上蓋と、胴体の下部を閉じる底蓋とを有するバッグインボックス用の箱において、胴体と上蓋又は底蓋とが別個のブランク板により形成され、胴体は複数枚のブランク板を周方向で接合することにより形成されると共に、接合部にはブランク板の板紙同士を重ね合わせて接着してなる重畳壁が形成され、胴体の外壁に剥離可能に接着される接着片が上蓋と底蓋にそれぞれ設けられ、接着片にそれぞれ隣接する上蓋の天壁と底蓋の底壁に、接着片に隣接する箇所からこの接着片の反対側へと伸びるように複数本の切れ線が形成されたことを特徴とするバッグインボックス用の箱。
【請求項３】
請求項１又は請求項２に記載のバッグインボックス用の箱において、胴体、上蓋及び底蓋が中実の板紙で作られたブランク板により形成されたことを特徴とするバッグインボックス用の箱。
【発明の詳細な説明】
【技術分野】
【０００１】
本発明は、バッグインボックス用の箱に関する。
【背景技術】
【０００２】
従来、バッグインボックス用の箱は段ボール紙を打ち抜いて得られるブランク板を組み立てて作られる。この組み立てられた箱内に袋を収納し、袋内に内容物を充填し、箱を閉じることにより、バッグインボックスが完成する。
【発明の開示】
【発明が解決しようとする課題】
【０００３】
バッグインボックス用の箱は、内容物が消費された後に廃棄されるが、廃棄に際して箱を嵩張らないように折り畳んだりする作業が面倒であり、廃棄処理に手間と時間がかかるという問題がある。
【０００４】
本発明は、このような問題点を解決することができるバッグインボックス用の箱を提供することを目的とする。
【課題を解決するための手段】
【０００５】
上記目的を達成するために、請求項１の発明は、多角柱に形成される胴体（１）と、胴体（１）の上部を閉じる上蓋（２）と、胴体（１）の下部を閉じる底蓋（３）とを有するバッグインボックス用の箱において、胴体（１）と上蓋（２）又は底蓋（３）とが別個のブランク板により形成され、胴体（１）は複数枚のブランク板を周方向で接合することにより形成されると共に、接合部にはブランク板の板紙同士を重ね合わせて接着してなる重畳壁が形成され、胴体（１）の外壁に剥離可能に接着される接着片（８，１９，３９，４１）が上蓋（２）と底蓋（３）にそれぞれ設けられ、接着片（８，１９，３９，４１）から始まって上蓋（２）と底蓋（３）を横断するように伸びる折り罫（２６，２７，４２，４３）が上蓋（２）と底蓋（３）に夫々形成されたバッグインボックス用の箱を採用する。
【０００６】
また、請求項２の発明は、多角柱に形成される胴体（１）と、胴体（１）の上部を閉じる上蓋（２）と、胴体（１）の下部を閉じる底蓋（３）とを有するバッグインボックス用の箱において、胴体（１）と上蓋（２）又は底蓋（３）とが別個のブランク板により形成され、胴体（１）は複数枚のブランク板を周方向で接合することにより形成されると共に、接合部にはブランク板の板紙同士を重ね合わせて接着してなる重畳壁が形成され、胴体（１）の外壁に剥離可能に接着される接着片（３９，４１）が上蓋（２）と底蓋（３）にそれぞれ設けられ、接着片（３９，４１）にそれぞれ隣接する上蓋（２）の天壁（２８）と底蓋（３）の底壁（２９）に、接着片（３９，４１）に隣接する箇所からこの接着片（３９，４１）の反対側へと伸びるように複数本の切れ線（４５）が形成されたバッグインボックス用の箱を採用する。
【０００７】
また、請求項３の発明は、請求項１又は請求項２に記載のバッグインボックス用の箱において、胴体（１）、上蓋（２）及び底蓋（３）が中実の板紙で作られたブランク板（５，６）により形成されたバッグインボックス用の箱を採用する。
【発明の効果】
【０００８】
請求項１の発明によれば、多角柱に形成される胴体（１）と、胴体（１）の上部を閉じる上蓋（２）と、胴体（１）の下部を閉じる底蓋（３）とを有するバッグインボックス用の箱において、胴体（１）と上蓋（２）又は底蓋（３）とが別個のブランク板により形成され、胴体（１）は複数枚のブランク板を周方向で接合することにより形成されると共に、接合部にはブランク板の板紙同士を重ね合わせて接着してなる重畳壁が形成され、胴体（１）の外壁に剥離可能に接着される接着片（８，１９，３９，４１）が上蓋（２）と底蓋（３）にそれぞれ設けられ、接着片（８，１９，３９，４１）から始まって上蓋（２）と底蓋（３）を横断するように伸びる折り罫（２６，２７，４２，４３）が上蓋（２）と底蓋（３）に夫々形成されたことから、バッグインボックス用の箱の強度を高めることができるのはもちろんのこと、使用後廃棄に際して上蓋（２）と底蓋（３）の各接着片（８，１９，３９，４１）を胴体（１）から剥がした上で胴体（１）をその横方向に押圧すると、各接着片（８，１９，３９，４１）を含め上蓋（２）と底蓋（３）が折り罫（２６，２７，４２，４３）上で折れ曲がるので、箱を簡易かつ迅速に折り畳むことができ、バッグインボックスの廃棄処理を速やかに行うことができる。
【０００９】
請求項２の発明によれば、多角柱に形成される胴体（１）と、胴体（１）の上部を閉じる上蓋（２）と、胴体（１）の下部を閉じる底蓋（３）とを有するバッグインボックス用の箱において、胴体（１）と上蓋（２）又は底蓋（３）とが別個のブランク板により形成され、胴体（１）は複数枚のブランク板を周方向で接合することにより形成されると共に、接合部にはブランク板の板紙同士を重ね合わせて接着してなる重畳壁が形成され、胴体（１）の外壁に剥離可能に接着される接着片（３９，４１）が上蓋（２）と底蓋（３）にそれぞれ設けられ、接着片（３９，４１）にそれぞれ隣接する上蓋（２）の天壁（２８）と底蓋（３）の底壁（２９）に、接着片（３９，４１）に隣接する箇所からこの接着片（３９，４１）の反対側へと伸びるように複数本の切れ線（４５）が形成されたことから、バッグインボックス用の箱の強度を高めることができるのはもちろんのこと、使用後の上蓋（２）と底蓋（３）の各接着片（３９，４１）を胴体（１）から剥がした上で各接着片を接着片（３９，４１）の反対側へと引っ張ると上蓋（２）の天壁（２８）と底蓋（３）の底壁（２９）が切れ線（４５）上で破断し、胴体（１）をその横方向に押圧することにより箱を簡易かつ迅速に折り畳むことができ、バッグインボックスの廃棄処理を速やかに行うことができる。
【００１０】
請求項３の発明によれば、請求項１又は請求項２に記載のバッグインボックス用の箱において、胴体（１）、上蓋（２）及び底蓋（３）が中実の板紙で作られたブランク板（４，５，６）により形成されたことから、廃棄処理の容易な剛性に富む箱を提供することができる。
【発明を実施するための最良の形態】
【００１１】
以下、図面を参照して本発明を実施するための最良の形態について説明する。
【００１２】
＜実施の形態１＞
図１に示すように、このバッグインボックス用の箱は、多角柱に形成される胴体１と、胴体１の上部を閉じる上蓋２と、胴体１の下部を閉じる底蓋３とを有する。
【００１３】
胴体１、上蓋２及び底蓋３の全壁は、図２、図３及び図４（ａ）に示すような中実の板紙で作られたブランク板４，５，６により形成される。このようにブランク板４，５，６が段ボール紙のような無数の空洞を有する板紙でなく中実の板紙で形成されるので、虫類の侵入や産卵が防止され、箱が長期にわたり清潔に保持される。
【００１４】
また、このブランク板４，５，６は、中実の板紙を複数枚重ねて接着した積層体よりなる紙シートを打ち抜くことにより形成されている。これにより、箱の剛性が向上し、バッグインボックスとして流通する過程で山積み等された場合にも変形、破損し難くなる。
【００１５】
図１に示すように、胴体１は具体的には八角柱に形成される。この八角柱は正八角柱でもよいが、望ましくは図示のごとく幅の広い側面ａ，ｃ，ｅ，ｇと幅の狭い側面ｂ，ｄ，ｆ，ｈとが交互に現われる八角柱に形成される。幅の狭い側面は四角柱の各角に面取りにより形成された面でもある。このようにバッグインボックスの箱を八角柱に構成することにより、箱内に収納される袋は液体等内容物を充填された場合、箱の内壁面に無理なく接触し、損傷を受け難くなる。もちろん、胴体１は八角柱に限らず他の多角柱に形成することもできる。より望ましくは偶数個の側面を有する角柱である。胴体１を構成するブランク板の詳細については後述する。
【００１６】
上蓋２は、図１に示すように、胴体に入れ子状に被さる多角柱に形成され、具体的には八角柱に形成される。上蓋２を構成するブランク板４は、図２に示すように、八角形の天壁７と、天壁７の各辺に折れ線を介して連接される接着片８，９とを有し、中実の板紙を打ち抜くことにより形成される。天壁７には箱内に収納される袋の注出口等を引き出すための開口がミシン線等により必要に応じて形成される（図示せず）。
【００１７】
胴体１は、その周方向で接合される複数枚のブランク板５，６で形成される。具体的には、胴体１は、図５及び図６に示すように、一枚の第一のブランク板５の胴体１に相当する部分と二枚の第二のブランク板６とが周方向で接続されることにより形成される。
【００１８】
第一のブランク板５は、図３に示すように、底蓋３を構成するブランク板をその中央部に含んでおり、底蓋３を構成する底壁１０を中央部に有する。底壁１０は上蓋２の天壁７と同形であるがやや小さ目に形成される。この底壁１０の相対向する一対の辺には夫々折れ線を介し幅の広い第一及び第二の側壁１１，１２が連接され、第一及び第二の側壁１１，１２の左右辺には夫々第一及び第二の側壁１１，１２よりも幅の狭い第一、第二、第三及び第四の各接合壁１３，１４，１５，１６が折れ線を介し連接される。更に、第一、第二、第三及び第四の各接合壁１３，１４，１５，１６の左右辺には夫々折れ線を介しより幅の狭いフラップである補強壁１７が連接される。すべての接合壁１３，１４，１５，１６は望ましくは互いに略同じ大きさに形成される。また、底壁１０の上記一対の辺に隣接する辺には、底蓋３を構成するフラップである第一の補強片１８が夫々折れ線を介し連接され、残りの相対向する一対の辺には底蓋３を構成するフラップである第二の補強片１９が夫々折れ線を介し連接される。この第一のブランク板５は、中実の板紙を打ち抜くことにより一体に形成される。
【００１９】
第二のブランク板６は、図４（Ａ）に示すように、第三の側壁２０と、第三の側壁２０の左右辺に夫々折れ線を介し連接される第五及び第六の接合壁２１，２２とを有する。接合壁２１，２２は、望ましくは互いに略同じ大きさに形成され、また第一のブランク板５の接合壁１３，１４，１５，１６とも互いに略同じ大きさに形成される。この第二のブランク板６は、中実の板紙を打ち抜くことにより一体に形成され、一つの箱について二枚用意される。
【００２０】
なお、上記第二のブランク板６に代えて図４（Ｂ）（Ｃ）にそれぞれ示すブランク板２３，２６を用いることができる。ブランク板２３は両側に補強片２４，２５を追加し、ブランク板２６は更に補強片２７，２８を追加してなるもので、これらの補強片２４，２５，２７，２８を折り畳むことにより圧縮力に強い側壁を形成することができる。
【００２１】
このように、胴体１が複数枚のブランク板を周方向で接合することにより形成され、その接合部にはブランク板の板紙同士を重ね合わせて接着してなる重畳壁が形成されるので、この箱の強度が高められる。
【００２２】
内容物の消費後、バッグインボックス用の箱は廃棄されるが、廃棄に際して箱を嵩張らないように折り畳んだり潰したりする作業を簡易に行うため以下のような手段が講じられる。
【００２３】
すなわち、図１乃至図３に示したように、上蓋２と底蓋３とには胴体１の外壁に剥離可能に接着される接着片８，９，１８，１９がそれぞれ設けられているが、上蓋２と底蓋３とには所定の接着片８，１９から始まって天壁７と底壁１０を横断するように折り罫２６，２７が伸びている。より具体的には、上蓋２と底蓋３とにそれぞれの中央を同方向に横断するように折り罫２６，２７が一本ずつ形成されている。もちろん、折り罫２６，２７は複数本ずつ形成してもよい。上蓋２側の折り罫２６は天壁片７及び接着片８を横断するように形成される。
【００２４】
次に、上記各種ブランク板４，５，６を用いてバッグインボックス用の箱を組み立てる手順の一例について説明する。
【００２５】
図５に示すように、第一のブランク板５を水平に置き、第一及び第二の側壁１１，１２を底壁１０に対し折れ線上で折り起こす。また、これに前後して第一乃至第四の接合壁１３，１４，１５，１６を折れ線上で折り曲げる。
【００２６】
また、図４の第二のブランク板６を水平に置き、第五及び第六の接合壁２１，２２を第三の側壁２０に対し折れ線上で折り起こす。これを一個の箱につき二組用意する。
【００２７】
図５及び図６に示すように、折り曲げた第一のブランク板５と第二のブランク板６を組み合わせる。すなわち、第一のブランク板５の相対峙する第一と第二の側壁１１，１２間に折り曲げた二枚の第二のブランク板６を差し込み、一方の第二のブランク板６の第五及び第六の接合壁２１，２２を第一及び第三の接合壁１４，１６にその内側から重ね合わせ接着剤等により接着する。同様にして、他方の第二のブランク板６の第五及び第六の接合壁２２，２１を第二及び第四の接合壁１３，１５にその内側から重ね合わせ接着剤等により接着する。また、第一のブランク板５の補強壁１７を第二のブランク板６の第三の側壁２０上に接着剤等により接着する。接合壁１３，１４，１５，１６，２１，２２は望ましくは互いに略同形同大に形成され、箱の内側に来る接合壁２１，２２の端縁は胴体１の角部に臨むことになるので、箱内に収納される袋が接合壁２１，２２の端縁に接触しないようにすることができ、破袋等による内容物の漏れが防止される。
【００２８】
続いて、第一のブランク板５の第一及び第二の補強片１８，１９を折れ線上で折り起こし、第一乃至第四の接合壁１３，１４，１５，１６にその外側から重ね合わせ接着剤等により接着する。
【００２９】
第一の補強片１８は、第一乃至第四の接合壁１３，１４，１５，１６と第五及び第六の接合壁２２，２１との各々間で挟み込むようにしても良い。かくすることにより、接合強度が一層向上する。
【００３０】
これにより、箱の胴体１と底蓋３の組立が完成し、図６に示すように、八角形の胴体１の第一の側面ａが第一のブランク板５の第一の側壁１１で形成され、第二の側面ｂが第一のブランク板５の第二の接合壁１４と第二のブランク板６の第五の接合壁２１との二層の板紙で形成され、第三の側面ｃが第二のブランク板６の第三の側壁２０で形成され、第四の側面ｄが第一のブランク板５の第四の接合壁１６と第二のブランク板６の第六の接合壁２２との二層の板紙で形成され、第五の側面ｅが第一のブランク板５の第二の側壁１２で形成され、第六の側面ｆが第一のブランク板５の第三の接合壁１５と第二のブランク板６の第五の接合壁２１との二層の板紙で形成され、第七の側面ｇが第二のブランク板６の第三の側壁２０で形成され、第八の側面ｈが第一のブランク板５の第一の接合壁１３と第二のブランク板６の第六の接合壁２２との二層の板紙で形成される。このように、胴体１は隣り合うブランク板の接合壁同士が胴体１の多数の側面ａ，ｂ，ｃ，ｄ，ｅ，ｆ，ｇ，ｈのうち一つ置きの側面ｂ，ｄ，ｆ，ｈ上に来るように重合接着されることから、座屈等に対する強度が高められる。また、第三及び第七の側面ｃ，ｇも第三の側壁２０上に補強壁１７が局所的に重なり合い接着されるので、外力に対し補強されることになる。
【００３１】
このように箱の胴体１と底蓋３が組み立てられ箱本体が完成すると、図示しないが箱本体内に袋が挿入され、袋内にその注出口から内容物が充填され、注出口にキャップが被せられ、袋内が密封される。
【００３２】
その後、上蓋２のブランク板４を胴体の上に被せ、八枚の接着片８，９を各折れ線上で折り曲げて胴体１の各側面ａ，ｂ，ｃ，ｄ，ｅ，ｆ，ｇ，ｈに接着剤等で接着する。これにより、胴体１の上端の開口が閉じられる。なお、接着片８，９の隣接箇所にフラップを形成し、このフラップを隣の接着片に接着することにより、上蓋２を立体的に組み立てた上で胴体１上に被せるようにしてもよい。また、図１に示すように、側面ｇ，ｃ上では上蓋２の接着片８と第三の側壁２０との間に補強壁１７が介在することから、接着片８と第三の側壁２０との間に隙間を形成することができる。したがって、バッグインボックスを廃棄する際にこの隙間を利用して上蓋２を容易に破り取ることができる。
【００３３】
なお、この実施の形態では、胴体１を構成するブランク板５が底蓋３を構成するブランク板と一体に形成されているが、両ブランク板は別体に形成してもよい。
【００３４】
箱を廃棄に際して折り畳むには、図７（Ａ）に示すように、まず上蓋２と底蓋３の所定の接着片８ａ，８ｂ，１９を胴体１の壁面から引き剥がし、胴体１をその横方向に押圧する。これにより、同図（Ｂ）に示すように、各接着片８ａ，８ｂ，１９を含め上蓋２と底蓋３が折り罫２６，２７上で折れ曲がり、箱が薄く折り畳まれる。なお、必要に応じて側壁１１，１２と接合壁１３，１４，１５，１６との間に残留する薄い立体部をさらに押し潰すようにしてもよい。
【００３５】
＜実施の形態２＞
図８及び図９に示すように、この実施の形態２におけるバッグインボックス用の箱は四角柱に形成される。
【００３６】
箱の胴体１は、図１０（Ａ）（Ｂ）に示すブランク板を二枚ずつ用いることにより四角柱に形成される。この胴体１を組み立てるには、まず図１０（Ａ）のブランク板を水平に置き、接合壁３０，３１を側壁３２に対し折れ線上で折り起こす。これを一個の箱につき二組用意する。また、同図（Ｂ）のブランク板を水平に置き、接合壁３３，３４をそれぞれ接合壁３５，３６の上に折り返して接着剤等により接着し、接合壁３５，３６を側壁３７に対し折れ線上で折り起こす。次に、図９に示すように各ブランク板を配置し、重なり合った部分を接着剤により接着する。
【００３７】
また、箱の上蓋２と底蓋３は、図９に示すブランク板により形成される。上蓋２の天壁２８と底蓋３の底壁２９をそれぞれ胴体１の両端の開口にあてがい、天壁２８と底壁２９の四辺から突出する接着片３８，３９，４０，４１を胴体１の外壁面に接着することにより、箱の組み立てを完了する。なお、上蓋２又は底蓋３で箱を閉じる前に袋を胴体１内に収納する。
【００３８】
内容物の消費後、この箱の廃棄に際し箱を嵩張らないよう折り畳むことができるようにするため、図８及び図９に示すように、胴体１の外壁面に剥離可能に接着される接着片３９，４１から始まって天壁２８と底壁２９を横断するように折り罫４２，４３が設けられる。より具体的には、上蓋２と底蓋３とをそれぞれの中央を互いに同方向に横断するように折り罫４２，４３が一本ずつ形成される。
【００３９】
箱を廃棄するに際して折り畳むには、図１１に示すように、まず上蓋２と底蓋３の各接着片３９，４１を胴体１の外壁面から引き剥がし、胴体１をその横方向に押圧する。これにより、図１２及び図１３に示すように、各接着片３９，４１を含め上蓋２と底蓋３が折り罫４２，４３上で折れ曲がり、箱が扁平に折り畳まれる。
【００４０】
＜実施の形態３＞
図１４及び図１５に示すように、この実施の形態３におけるバッグインボックス用の箱においては、実施の形態２の場合と同様に胴体１の外壁面に剥離可能に接着される接着片３８，３９，４０，４１が上蓋２と底蓋３にそれぞれ設けられるが、実施の形態２の場合とは箱の折り畳み手段の構成を相違する。
【００４１】
すなわち、所定の接着片３９，４１にそれぞれ隣接する上蓋２の天壁２８と底蓋３の底壁２９に、接着片３９，４１に隣接する箇所からこの接着片３９，４１の反対側へと伸びるように複数本の切れ線４５が形成される。なお、底壁２９の切れ線は図示していない。
【００４２】
この箱を廃棄に際して折り畳むには、まず、図１５に示すように、使用後の上蓋２と底蓋３の各々片方の接着片３９，４１を胴体１から剥がした上で、図１６に示すように、各接着片３９，４１をこれら接着片３９，４１の反対側へと引っ張り、上蓋２の天壁２８と底蓋３の底壁２９を切れ線４５上で破断させる。その後、図１７に示すように、胴体１をその横方向に押圧することにより、箱が折り畳まれる。
【図面の簡単な説明】
【００４３】
【図１】本発明の実施の形態１に係るバッグインボックス用の箱を示す斜視図である。
【図２】上蓋のブランク板の展開図である。
【図３】胴体及び底蓋のブランク板の展開図である。
【図４】（Ａ）（Ｂ）（Ｃ）は夫々箱の側壁の一部を構成するブランク板の異なる態様の展開図である。
【図５】箱の組み立て途中の斜視図である。
【図６】箱の胴体の水平断面図である。
【図７】箱の折り畳み手順を示す斜視図である。
【図８】本発明の実施の形態２に係るバッグインボックス用の箱を示す斜視図である。
【図９】上記箱の組み立て方法の一例を示す斜視図である。
【図１０】上記箱の胴体の組み立てに使用されるブランク板の展開図である。
【図１１】上記箱の折り畳みの第一段階を示す斜視図である。
【図１２】上記箱の折り畳みの第二段階を示す斜視図である。
【図１３】上記箱の折り畳みの第三段階を示す斜視図である。
【図１４】本発明の実施の形態３に係るバッグインボックス用の箱を示す斜視図である。
【図１５】上記箱の折り畳みの第一段階を示す斜視図である。
【図１６】上記箱の折り畳みの第二段階を示す斜視図である。
【図１７】上記箱の折り畳みの第三段階を示す斜視図である。
【符号の説明】
【００４４】
１…胴体
２…上蓋
３…底蓋
５，６…ブランク板
８ａ，８ｂ，３９，４１…接着片
２６，２７，４２，４３…折り罫
２８…天壁
２９…底壁
４５…切れ線
【図１】
2007022595.tif 000003
【図２】
2007022595.tif 000004
【図３】
2007022595.tif 000005
【図４】
2007022595.tif 000006
【図５】
2007022595.tif 000007
【図６】
2007022595.tif 000008
【図７】
2007022595.tif 000009
【図８】
2007022595.tif 000010
【図９】
2007022595.tif 000011
【図１０】
2007022595.tif 000012
【図１１】
2007022595.tif 000013
【図１２】
2007022595.tif 000014
【図１３】
2007022595.tif 000015
【図１４】
2007022595.tif 000016
【図１５】
2007022595.tif 000017
【図１６】
2007022595.tif 000018
【図１７】
2007022595.tif 000019